(57)【要約】  画像処理システムは、１又は２以上の端末装置と、端末装置と接続するサーバ装置と、を含む。画像処理システムにおいて、端末装置は、被写体を撮影し、撮影画像を生成する、撮影部と、撮影部が撮影画像を生成した場合、当該撮影画像をサーバ装置に送信する、画像送信部と、を備え、画像送信部は、撮影画像をサーバ装置に送信した場合、当該撮影画像を当該端末装置から削除し、サーバ装置は、受信した撮影画像が所定の情報を含むか否かを判断する、判断部と、受信した撮影画像が所定の情報を含む場合、撮影画像の視認性の低減処理、出力の防止処理の少なくともいずれかを含む、所定の処理を実行する、画像加工部と、を備える。
2016195060.tif 000002
【特許請求の範囲】
【請求項１】
１又は２以上の端末装置と、前記端末装置と接続するサーバ装置と、を含む画像処理システムであって、
前記端末装置は、
被写体を撮影し、撮影画像を生成する、撮影部と、
前記撮影部が前記撮影画像を生成した場合、当該撮影画像を前記サーバ装置に送信する、画像送信部と、
を備え、
前記画像送信部は、前記撮影画像を前記サーバ装置に送信した場合、当該撮影画像を当該端末装置から削除し、
前記サーバ装置は、
受信した前記撮影画像が所定の情報を含むか否かを判断する、判断部と、
受信した前記撮影画像が所定の情報を含む場合、前記撮影画像の視認性の低減処理、出力の防止処理の少なくともいずれかを含む、所定の処理を実行する、画像加工部と、
を備える画像処理システム。
【請求項２】
前記サーバ装置は、
１又は２以上の画像から抽出され、当該各画像に対応する第１の画像情報を格納する、データベースをさらに備え、
前記判断部は、前記第１の画像情報と、前記受信した撮影画像に含まれる第２の画像情報と、を照合し、当該撮影画像が前記所定の情報を含むか否かを判断する、請求項１に記載の画像処理システム。
【請求項３】
前記端末装置は、
前記撮影画像を暗号化する、暗号化部をさらに備え、
前記画像送信部は、前記暗号化部が暗号化した前記撮影画像を、前記サーバ装置に送信し、
前記サーバ装置は、
暗号化された前記撮影画像を受信した場合、当該暗号化された撮影画像を復号する、復号部をさらに備え、
前記判断部は、前記復号部が復号した前記撮影画像から、前記第２の画像情報を抽出する、請求項２に記載の画像処理システム。
【請求項４】
前記端末装置は、前記暗号化部が暗号化した前記撮影画像を保存する、一時保存領域を備え、
前記画像送信部は、前記暗号化部が暗号化した前記撮影画像を送信した場合、当該暗号化された前記撮影画像を、前記一時保存領域から削除する、請求項３に記載の画像処理システム。
【請求項５】
前記サーバ装置は、１又は２以上の前記端末装置に対応する、１又は２以上の仮想端末を備え、
前記仮想端末は、前記撮影画像の出力処理を制御する、請求項１乃至４のいずれか一に記載の画像処理システム。
【請求項６】
前記画像送信部は、前記撮影画像に端末識別情報を対応付けて、当該撮影画像を前記サーバ装置に送信し、
前記仮想端末は、自仮想端末と、端末識別情報と、を対応付けた情報を記憶し、
前記サーバ装置は、
前記撮影画像を受信した場合、当該撮影画像に対応付けられた前記端末識別情報に基づいて、前記仮想端末を選択する、仮想端末選択部をさらに備え、
前記画像加工部は、前記撮影画像に前記所定の処理を実行後に、前記撮影画像が存在する場合、前記仮想端末選択部が選択した前記仮想端末に、当該撮影画像を保存する、請求項５に記載の画像処理システム。
【請求項７】
前記端末装置は、
位置情報を取得する、位置情報取得部をさらに備え、
前記画像送信部は、前記撮影画像に前記位置情報を対応付けて、当該撮影画像を前記サーバ装置に送信し、
前記判断部は、前記撮影画像に対応付けられた前記位置情報に基づいて、当該撮影画像に対して前記所定の処理を実行するか否かを判断する、請求項１乃至６のいずれか一に記載の画像処理システム。
【請求項８】
端末装置から画像を受信する、画像受信部と、
受信した前記画像が所定の情報を含むか否かを判断する、判断部と、
受信した前記画像が所定の情報を含む場合、前記画像の視認性の低減処理、出力の防止処理の少なくともいずれかを含む、所定の処理を実行する、画像加工部と、
を備えるサーバ装置。
【請求項９】
端末装置から画像を受信する、画像受信部を備えるサーバ装置の制御方法であって、
受信した前記画像が所定の情報を含むか否かを判断する工程と、
受信した前記画像が所定の情報を含む場合、前記画像の視認性の低減処理、出力の防止処理の少なくともいずれかを含む、所定の処理を実行する工程と、
を含むサーバ装置の制御方法。
【請求項１０】
端末装置から画像を受信する、画像受信部を備えるサーバ装置を制御するコンピュータに実行させるプログラムであって、
受信した前記画像が所定の情報を含むか否かを判断する処理と、
受信した前記画像が所定の情報を含む場合、前記画像の視認性の低減処理、出力の防止処理の少なくともいずれかを含む、所定の処理を実行する処理と、
を、前記コンピュータに実行させるプログラム。
【発明の詳細な説明】
【技術分野】
【０００１】
［関連出願についての記載］
本発明は、日本国特許出願：特願２０１５−１１４７４１号（２０１５年６月５日出願）に基づくものであり、同出願の全記載内容は引用をもって本書に組み込み記載されているものとする。
本発明は、画像処理システム、サーバ装置、サーバ装置の制御方法、及びプログラムに関する。
【背景技術】
【０００２】
近年、ＳＮＳ（Social Networking Service）等の普及により、カメラで撮影した画像（撮影画像）を、ネットワークを介して、公開することが容易になっている。しかし、著作権の保護対象の著作物を含む撮影画像であっても、容易に保存、複製、公開等が可能であり、意図せず著作権侵害となる場合がある。【０００３】
特許文献１においては、原稿を読み取り、ＨＤＤ（Hard Disk Drive）に蓄積する前に、原稿が紙幣、著作権保護の必要な文書等である場合、色変換、電子透かし合成等の処理を画像データに施す技術が記載されている。【０００４】
特許文献２においては、ネットワーク上のサイトにおいて閲覧可能な状態とされる、閲覧動画データを照合する技術が記載されている。特許文献２に記載された技術においては、複数の登録動画データが情報として登録された動画データベースを備える。そして、特許文献２に記載された技術においては、閲覧動画データと、動画データベースに登録された登録動画データとを照合する。そして、特許文献２に記載された技術においては、閲覧動画データが動画データベースに登録されていた場合、閲覧動画データに識別データを付加し、識別データが付加された閲覧動画データを削除する技術が記載されている。
【先行技術文献】
【特許文献】
【０００５】
【特許文献１】特開２００６−０５００８２号公報
【特許文献２】特開２００９−０７０３４９号公報
【発明の概要】
【発明が解決しようとする課題】
【０００６】
なお、上述先行技術文献の各開示を、本書に引用をもって繰り込むものとする。以下の分析は、本発明の観点からなされたものである。【０００７】
上述の通り、著作権侵害を防止するために、著作権の保護対象の著作物が、撮影画像に含まれるか否かを判断することが求められる。ここで、著作物の有無を判断するためには、判断対象の著作物を登録したデータベースを、予め準備する必要がある。しかし、著作権の保護対象の著作物は多様である。そのため、判断対象の著作物の種類が増加するほど、判断対象の著作物を登録した、データベースのサイズは増大する。また、データベースのサイズが増大するほど、著作物の有無を判断する処理の負荷は増大する。【０００８】
特許文献１に記載された技術では、判断対象を紙幣等に限定しており、多様な著作物に対応することについては、一切記載及び示唆されていない。さらに、特許文献１に記載された技術を用いて、多様な著作物に対応する場合、ユーザが使用する画像処理装置の負荷が増大する。【０００９】
特許文献２に記載された技術は、著作物を含む画像の公開を防止するための技術である。しかし、特許文献２に記載された技術では、著作物を含む撮影画像を、ユーザが使用する情報処理装置（ＰＣ（Personal Computer）等）に保存、複製することは防止できない。【００１０】
そこで、本発明は、ユーザが使用する端末装置の負荷を低減させた状態で、適切に撮影画像を管理することに貢献する画像処理システム、サーバ装置、サーバ装置の制御方法、及びプログラムを提供することを目的とする。
【課題を解決するための手段】
【００１１】
第１の視点によれば、画像処理システムが提供される。該画像処理システムは、１又は２以上の端末装置と、前記端末装置と接続するサーバ装置と、を含む。
該端末装置は、被写体を撮影し、撮影画像を生成する、撮影部を備える。
さらに、該端末装置は、前記撮影部が前記撮影画像を生成した場合、当該撮影画像を前記サーバ装置に送信する、画像送信部を備える。前記画像送信部は、前記撮影画像を前記サーバ装置に送信した場合、当該撮影画像を当該端末装置から削除する。
該サーバ装置は、受信した前記撮影画像が所定の情報を含むか否かを判断する、判断部を備える。
さらに、該サーバ装置は、受信した前記撮影画像が所定の情報を含む場合、前記撮影画像の視認性の低減処理、出力の防止処理の少なくともいずれかを含む、所定の処理を実行する、画像加工部を備える。【００１２】
第２の視点によれば、サーバ装置が提供される。該サーバ装置は、端末装置から画像を受信する、画像受信部を備える。
さらに、該サーバ装置は、受信した前記画像が所定の情報を含むか否かを判断する、判断部を備える。
さらに、該サーバ装置は、受信した前記画像が所定の情報を含む場合、前記画像の視認性の低減処理、出力の防止処理の少なくともいずれかを含む、所定の処理を実行する、画像加工部を備える。【００１３】
第３の視点によれば、サーバ装置の制御方法が提供される。該サーバ装置は、端末装置から画像を受信する、画像受信部を備える。該制御方法は、受信した前記画像が所定の情報を含むか否かを判断する工程を含む。
さらに、該制御方法は、受信した前記画像が所定の情報を含む場合、前記画像の視認性の低減処理、出力の防止処理の少なくともいずれかを含む、所定の処理を実行する工程を含む。
なお、本方法は、１又は２以上の端末装置と接続するサーバ装置という、特定の機械に結び付けられている。【００１４】
第４の視点によれば、サーバ装置を制御するコンピュータに実行させるプログラムが提供される。該サーバ装置は、端末装置から画像を受信する、画像受信部を備える。該プログラムは、受信した前記画像が所定の情報を含むか否かを判断する処理を該コンピュータに実行させる。
さらに、該プログラムは、受信した前記画像が所定の情報を含む場合、前記画像の視認性の低減処理、出力の防止処理の少なくともいずれかを含む、所定の処理を実行する処理を該コンピュータに実行させる。
なお、該プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１５】
各視点によれば、ユーザが使用する端末装置の負荷を低減させた状態で、適切に撮影画像を管理することに貢献する画像処理システム、サーバ装置、サーバ装置の制御方法、及びプログラムが提供される。
【図面の簡単な説明】
【００１６】
【図１】一実施形態の概要を説明するための図である。
【図２】第１の実施形態に係る画像処理システム１の全体構成の一例を示す図である。
【図３】第１の実施形態に係る画像処理システム１の一例を示す図である。
【図４】サーバ装置１０及び端末装置２０の動作の一例を示すフローチャートである。
【図５】第２の実施形態に係る画像処理システム１ａの全体構成の一例を示す図である。
【図６】第２の実施形態に係る画像処理システム１ａの一例を示す図である。
【発明を実施するための形態】
【００１７】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１８】
上述の通り、ユーザが使用する端末装置の負荷を低減させた状態で、適切に撮影画像を管理することに貢献する画像処理システムが望まれる。
【００１９】
そこで、図１に示す画像処理システム１０００を提供する。画像処理システム１０００は、１又は２以上の端末装置１０１０と、端末装置１０１０と接続するサーバ装置１０２０と、を含む。端末装置１０１０は、撮影部１０１１と、画像送信部１０１２とを備える。また、サーバ装置１０２０は、判断部１０２１と、画像加工部１０２２とを備える。なお、図１においては、２以上の端末装置１０１０、及び２以上撮影画像１００１に同一の符号を付すが、これは、２以上の端末装置１０１０、及び２以上の撮影画像１００１が同一であることを示す趣旨ではない。各端末装置１０１０、及び各撮影画像１００１は、夫々、独立しているものとする。
【００２０】
端末装置１０１０は、ユーザが操作する情報処理装置である。一方、サーバ装置１０２０は、端末装置１０１０より処理能力が高い情報処理装置である。
【００２１】
端末装置１０１０の撮影部１０１１は、被写体を撮影し、撮影画像（撮影画像データ）１００１を生成する。ここで、撮影画像１００１とは、静止画、及び／又は動画であるものとする。また、画像のデータフォーマットは各種あるが、その詳細は問わない。なお、以下の説明では、撮影画像データを、単に撮影画像とも呼ぶ。
【００２２】
端末装置１０１０の画像送信部１０１２は、撮影部１０１１が撮影画像１００１を生成した場合、当該撮影画像１００１をサーバ装置１０２０に送信する。そして、画像送信部１０１２は、撮影画像１００１をサーバ装置１０２０に送信した場合、当該撮影画像１００１を当該端末１０１０から削除する。つまり、端末装置１０１０は、生成した撮影画像１００１を、当該端末装置１０１０の記憶領域（図示せず）に保存しない。
【００２３】
サーバ装置１０２０は、端末装置１０１０と接続し、端末装置１０１０から撮影画像を受信する。そして、サーバ装置１０２０の判断部１０２１は、端末装置１０１０から撮影画像１００１を受信した場合、受信した撮影画像１００１が所定の情報を含むか否かを判断する。例えば、特定の被写体（著作権の保護対象の著作物等）が撮影画像に含まれるか否かを、判断部１０２１は判断しても良い。なお、以下の説明において、著作物とは、著作権の保護対象の著作物を意味するものとする。
【００２４】
サーバ装置１０２０の画像加工部１０２２は、受信した撮影画像１００１が所定の情報を含む場合、撮影画像１００１の視認性の低減処理、出力の防止処理の少なくともいずれかを含む、所定の処理を実行する。例えば、画像加工部１０２２は、著作物等が撮影画像に含まれる場合、撮影画像の視認性を低減させる処理（例えば、解像度を低減させる処理）等を実行しても良い。
【００２５】
以上の通り、サーバ装置１０２０が、撮影画像における著作物の有無を判断する処理を実行する。そのため、画像処理システム１０００は、ユーザが使用する端末装置１０１０の負荷を低減することに貢献する。さらに、画像処理システム１０００においては、端末装置１０１０は撮影画像を端末装置１０１０から削除する。そして、サーバ装置１０２０は、所定の情報（所定の被写体等）を含む画像の保存、複製、公開を抑制するように、当該画像を加工する。従って、画像処理システム１０００は、ユーザが使用する端末装置１０１０の負荷を低減させた状態で、適切に撮影画像１００１を管理することに貢献する。
【００２６】
［第１の実施形態］
第１の実施形態について、図面を用いてより詳細に説明する。
【００２７】
図２は、本実施形態に係る画像処理システム１の全体構成の一例を示すブロック図である。画像処理システム１は、サーバ装置１０と、１又は２以上の端末装置２０とを含んで構成される。サーバ装置１０と、各端末装置２０とは、ネットワーク３０を介して接続する。なお、図２においては、１つの端末装置２０を示すが、これは、端末装置２０の数を限定する趣旨ではない。
【００２８】
ネットワーク３０は、電話回線、携帯電話回線、Ｗｉ−Ｆｉ（Wireless Fidelity）等を用いても良い。ネットワーク３０の実現方法には、各種の方式があるがその詳細は問わない。画像処理システム１の実現形態に応じて、ネットワーク３０の方式は異なるものとする。
【００２９】
サーバ装置１０は、ネットワーク３０に接続し、１又は２以上の仮想端末１１＿１〜１１＿ｎ（ｎは１以上の自然数）を備える情報処理装置である。サーバ装置１０は、本書で説明する機能を実現できれば、その詳細は問わない。
【００３０】
端末装置２０は、ユーザが操作し、撮影機能（カメラ）を備える情報処理装置である。例えば、端末装置２０は、スマートフォン、携帯電話、デジタルカメラ、タブレット、ゲーム機、ＰＤＡ（Personal Digital Assistant）等であっても良い。端末装置２０は、本書で説明する機能を実現できれば、その詳細は問わない。
【００３１】
次に、端末装置２０の内部構成について詳細に説明する。
【００３２】
端末装置２０は、撮影部２１と、暗号化部２２と、一時保存領域２３と、認証クライアント部２４と、画像送信部２５と、画面表示部２６と、画面情報受信部２７とを含んで構成される。図２は、簡単のため、本実施形態に係る端末装置２０に関係するモジュールを主に記載する。
【００３３】
端末装置２０の各モジュールは、端末装置２０に搭載されたコンピュータに、そのハードウェアを用いて、端末装置２０に動作を実行させるコンピュータプログラムにより実現しても良い。
【００３４】
撮影部（カメラ）２１は、被写体を撮影し、撮影画像を生成する。撮影部２１は、レンズ、撮像素子（図示せず）等を含んで構成される。撮影部２１は、生成した撮影画像を、暗号化部２２に対して出力する。
【００３５】
撮影部２１は、撮影画像として、静止画を生成しても良い。撮影部２１が、撮影画像として、静止画を生成する場合、撮影画像のデータフォーマットは、ＪＰＥＧ（Joint Photographic Experts Group）形式、ＲＡＷ形式等であっても良く、データフォーマットの詳細は問わない。
【００３６】
または、撮影部２１は、撮影画像として、動画を生成しても良い。撮影部２１が、撮影画像として、動画を生成する場合、撮影画像のデータフォーマットは、ＭＰＥＧ（Moving Picture Experts Group）形式、ＭＯＶ形式、ＡＶＩ形式等であっても良く、データフォーマットの詳細は問わない。
【００３７】
暗号化部２２は、撮影部２１が生成した撮影画像を暗号化する。そして、暗号化部２２は、暗号化された撮影画像に、端末識別情報を対応付ける。ここで、端末識別情報とは、端末装置２０を識別するための情報であり、文字、数字、記号等を含んで構成される。以下の説明では、端末識別情報を、端末ＩＤとも表記する。
【００３８】
そして、暗号化部２２は、端末識別情報が対応付けられ、暗号化された撮影画像を、一時保存領域２３に保存する。端末装置２０がＨＤＤ（Hard Disk Drive）等、ストレージ装置を備える場合であっても、端末装置２０は、撮影画像をストレージ装置等に保存しない。また端末装置２０は、暗号化されていない撮影画像を一時保存領域２３に保存しない。
【００３９】
認証クライアント部２４は、ネットワーク３０を介して、サーバ装置１０に対して、端末装置２０を使用するユーザの認証を要求する。例えば、認証クライアント部２４は、ネットワーク３０を介して、サーバ装置１０に対して、端末装置２０を使用するユーザを識別する情報（以下、ユーザ識別情報と呼ぶ）を送信しても良い。ここで、ユーザ識別情報は、端末装置２０を識別するための情報であり、文字、数字、記号のうち、少なくともいずれかを含んで構成されても良い。そして、認証クライアント部２４は、ネットワーク３０を介して、端末装置２０を使用するユーザの認証の可否を、サーバ装置１０から受信する。
【００４０】
画像送信部２５は、撮影画像をサーバ装置１０に送信する。具体的には、画像送信部２５は、暗号化部２２が暗号化した撮影画像をサーバ装置１０に送信する。より具体的には、画像送信部２５は、暗号化された撮影画像に端末識別情報を対応付けて、当該撮影画像をサーバ装置１０に送信する。
【００４１】
また、画像送信部２５は、撮影画像をサーバ装置１０に送信した場合、当該撮影画像を端末装置２０から削除する。具体的には、画像送信部２５は、暗号化部２２が暗号化した撮影画像をサーバ装置１０に送信した場合、暗号化された撮影画像を、一時保存領域２３から削除する。
【００４２】
または、サーバ装置１０は、撮影画像を受信した場合、撮影画像の送信元の端末装置２０に、受信完了の信号を送信しても良い。そして、画像送信部２５は、サーバ装置１０から、撮影画像の受信完了の信号を受信した場合、暗号化された撮影画像を、一時保存領域２３から削除しても良い。
【００４３】
画面表示部２６は、液晶パネル、有機ＥＬ（Electro Luminescence）パネル等を含んで構成され、ユーザが視認できるように、情報を表示する。具体的には、画面表示部２６は、サーバ装置１０から送信された画面情報を表示する。ここで、画面情報とは、表示画面に関する情報を意味する。本実施形態に係る画像処理システム１においては、サーバ装置１０の仮想端末１１が画面情報を生成し、端末装置２０に送信する。
【００４４】
画面情報受信部２７は、サーバ装置１０から画面情報を受信する。画面情報受信部２７は、圧縮された画面情報を、サーバ装置１０から受信しても良い。画面情報受信部２７は、圧縮された画面情報を受信した場合、当該画面情報を解凍し、画面表示部２６に対して出力する。
【００４５】
次に、サーバ装置１０の内部構成について詳細に説明する。
【００４６】
サーバ装置１０は、仮想端末１１＿１〜１１＿ｎ（ｎは１以上の自然数）と、データベース１２と、認証サーバ部１３と、画像受信部１４と、仮想端末選択部１５と、復号部１６と、判断部１７と、画像加工部１８と、画面情報送信部１９と、を含んで構成される。図２は、簡単のため、本実施形態に係るサーバ装置１０に関係するモジュールを主に記載する。
【００４７】
サーバ装置１０の各モジュールは、サーバ装置１０に搭載されたコンピュータに、そのハードウェアを用いて、サーバ装置１０に動作を実行させるコンピュータプログラムにより実現しても良い。
【００４８】
仮想端末１１＿１〜１１＿ｎは、撮影画像の出力処理を制御する。具体的には、各仮想端末１１＿１〜１１＿ｎは、少なくとも一の端末装置２０に対応する。そして、各仮想端末１１＿１〜１１＿ｎは、対応する端末装置２０が生成する撮影画像に関して、出力処理を制御する。仮想端末１１＿１〜１１＿ｎは、自仮想端末１１＿１〜１１＿ｎと、端末装置２０の端末識別情報と、を対応付けた情報を記憶しても良い。また、仮想端末１１＿１〜１１＿ｎは、対応する端末装置２０に表示させる、画面情報を生成する。以下の説明では、画面情報を、単に、表示画面と呼ぶ。また、以下の説明では、各仮想端末１１＿１〜１１＿ｎを区別する必要がない場合、仮想端末１１と呼ぶ。
【００４９】
データベース１２は、１又は２以上の画像から抽出され、当該各画像に対応する第１の画像情報を格納する。ここで、本実施形態に係る画像処理システム１においては、データベース１２は、著作物の画像から抽出された特徴量を、当該画像に対応する第１の画像情報として格納する。以下の説明においては、データベース１２は、著作権の保護対象の著作物に関して、当該著作物の画像に関する情報を格納するものとする。
【００５０】
認証サーバ部１３は、端末装置２０を使用するユーザを認証するか否かを判断する。具体的には、認証サーバ部１３は、端末装置２０を使用するユーザを、認証するか否かを判断する。
【００５１】
さらに、認証サーバ部１３は、ユーザ識別情報と、端末識別情報とを対応付けて記憶する、記憶部（図示せず）を備える。認証サーバ部１３は、ユーザ識別情報を認証する場合、認証結果と、当該ユーザ識別情報に対応する端末識別情報とを、端末装置２０に返信する。
【００５２】
画像受信部１４は、暗号化された撮影画像を、端末装置２０から受信する。
【００５３】
仮想端末選択部１５は、画像受信部１４が撮影画像を受信した場合、撮影画像に対応付けられた端末識別情報に基づいて、仮想端末を選択する。具体的には、仮想端末選択部１５は、撮影画像に対応付けられた端末識別情報と、仮想端末１１＿１〜１１＿ｎに対応付けられた端末識別情報とを照合し、仮想端末１１を選択する。
【００５４】
復号部１６は、画像受信部１４が暗号化された撮影画像を受信した場合、当該暗号化された撮影画像を復号する。
【００５５】
判断部１７は、受信した撮影画像が、所定の情報（所定の被写体等）を含むか否かを判断する。具体的には、まず、判断部１７は、復号部１６が復号した撮影画像から、第２の画像情報を抽出する。ここで、第１の画像情報の抽出方法と、第２の画像情報の抽出方法とが、同一であるものとする。つまり、判断部１７は、第１の画像情報の抽出方法と同一の方法を用いて、撮影画像から、第２の画像情報として、特徴量を抽出する。
【００５６】
そして、判断部１７は、データベース１２に格納される第１の画像情報と、受信した撮影画像に含まれる第２の画像情報と、を照合し、当該撮影画像が所定の情報を含むか否かを判断する。例えば、判断部１７は、第１の画像情報と、第２の画像情報との照合結果を、評価値として算出しても良い。そして、判断部１７は、算出した評価値が所定の閾値を越える場合、当該撮影画像が所定の情報を含むと判断しても良い。また、判断部１７は、算出した評価値が所定の閾値以下である場合、当該撮影画像が所定の情報を含まないと判断しても良い。
【００５７】
ここで、判断部１７は、第１の画像情報と、第２の画像情報との照合結果に基づいて、撮影画像が所定の情報を含むと判断したとする。そして、上述の通り、データベース１２は、著作物の画像から抽出された特徴量を、第１の画像情報として格納するとする。そのため、撮影画像が所定の情報を含むと判断された場合、撮影画像は著作物を含むことが推定される。
【００５８】
画像加工部１８は、受信した撮影画像が所定の情報を含む場合、撮影画像の視認性の低減処理、出力の防止処理の少なくともいずれかを含む、所定の処理を実行する。つまり、データベース１２が著作物の画像から抽出された第１の情報を格納し、撮影画像が著作物を含むと判断された場合、画像加工部１８は、撮影画像の視認性の低減処理、出力の防止処理の少なくともいずれかを含む、所定の処理を実行する。
【００５９】
例えば、画像加工部１８は、撮影画像の視認性の低減処理として、当該撮影画像をマスキング、解像度の低減等の処理を実行しても良い。また、画像加工部１８は、撮影画像の出力の防止処理として、当該撮影画像を削除しても良い。例えば、画像加工部１８は、マスキング処理を実行する場合、１又は２以上の色で、撮影画像、又は撮影画像内の著作物を塗り潰しても良い。または、画像加工部１８は、マスキング処理を実行する場合、所定の文字、模様等で、撮影画像、又は撮影画像内の著作物を塗り潰しても良い。なお、撮影画像の視認性を低減可能、及び／又は出力を防止可能であれば、画像加工部１８が実行する処理は、上記の処理に限定されず、その詳細は問わない。
【００６０】
そして、画像加工部１８は、撮影画像に上記の所定の処理を実行後に、撮影画像が存在する場合、仮想端末選択部１５が選択した仮想端末１１に、当該撮影画像を保存する。つまり、画像加工部１８は、撮影画像の送信元の端末装置２０に対応する、仮想端末１１に、当該撮影画像を保存する。ここで、画像加工部１８は、視認性の低減処理等が実行された撮影画像を、選択された仮想端末１１に保存するものとする。
【００６１】
また、画像加工部１８は、撮影画像に上記の所定の処理を実行しない場合、受信した撮影画像を、選択された仮想端末１１に保存する。なお、画像加工部１８は、撮影画像を削除した場合、撮影画像を保存不可であることは勿論である。
【００６２】
画面情報送信部１９は、撮影画像の送信元の端末装置２０に、画面情報を送信する。具体的には、画面情報送信部１９は、仮想端末選択部１５が選択した仮想端末１１から、画面情報を取得する。そして、画面情報送信部１９は、取得した画面情報を圧縮し、パケット化する。そして、画面情報送信部１９は、ネットワーク３０を介して、当該パケット化した画面情報を、撮影画像の送信元の端末装置２０に送信する。
【００６３】
図３は、画像処理システム１の一例を示す図である。図３に示す画像処理システム１は、端末装置２０１、２０２と、仮想端末１１＿１、１１＿２を備えるサーバ装置１０とを含んで構成される。なお、図３に示す端末装置２０１、２０２の内部構成は、図２に示す端末装置２０と同一であるものとする。
【００６４】
図３に示す画像処理システム１において、端末識別情報３０１（「端末ＩＤ：１０００Ａ」）が、端末装置２０１に割り当てられている。また、図３に示す画像処理システム１において、端末識別情報３１０（「端末ＩＤ：１０００Ａ」）が、仮想端末１１＿１に割り当てられている。また、図３に示す画像処理システム１において、端末識別情報３０２（「端末ＩＤ：２０００Ｂ」）が、端末装置２０２に割り当てられている。また、図３に示す画像処理システム１において、端末識別情報３２０（「端末ＩＤ：２０００Ｂ」）が、仮想端末１１＿２に割り当てられている。
【００６５】
例えば、端末装置２０１の撮影部２１が、撮影画像３１１を生成したとする。その場合、端末装置２０１の画像送信部２５は、撮影画像３１１と、端末識別情報３１２（「端末ＩＤ：１０００Ａ」）とを対応付けたデータ３１３を、サーバ装置１０に送信する。
【００６６】
サーバ装置１０の仮想端末選択部１５は、撮影画像３１１に対応付けられた端末識別情報３１２と、仮想端末１１＿１、１１＿２に対応付けられた端末識別情報３１０、３２０とを照合し、仮想端末を選択する。ここで、撮影画像３１１に対応付けられた端末識別情報３１２と、仮想端末１１＿１に対応付けられた端末識別情報３１０とが、「端末ＩＤ：１０００Ａ」である。そのため、仮想端末選択部１５は、撮影画像３１１の送信元である端末装置２０１に対応する仮想端末１１として、仮想端末１１＿１を選択する。そして、仮想端末１１＿１は、撮影画像３１１の出力処理等を制御する。
【００６７】
また、端末装置２０２の撮影部２１が、撮影画像３２１を生成したとする。その場合、端末装置２０２の画像送信部２５は、撮影画像３２１と、端末識別情報３２２（「端末ＩＤ：２０００Ｂ」）とを対応付けたデータ３２３を、サーバ装置１０に送信する。そして、サーバ装置１０の仮想端末選択部１５は、撮影画像３２１に対応付けられた端末識別情報３２２に基づいて、仮想端末１１＿２を選択する。そして、仮想端末１１＿２は、撮影画像３２１の出力処理等を制御する。
【００６８】
次に、サーバ装置１０、及び端末装置２０の動作について説明する。なお、以下の説明においては、データベース１２は、著作権の保護対象の著作物の画像から抽出された特徴量を、第１の画像情報として格納するものとする。
【００６９】
図４は、サーバ装置１０、及び端末装置２０の動作の一例を示すフローチャートである。
【００７０】
ステップＳ１において、端末装置２０の認証クライアント部２４は、認証要求をサーバ装置１０に送信する。例えば、認証クライアント部２４は、端末装置２０を使用するユーザのユーザ識別情報と、認証要求とをサーバ装置１０に送信しても良い。
【００７１】
ステップＳ２において、サーバ装置１０の認証サーバ部１３は、認証処理を実行する。例えば、認証サーバ部１３は、ユーザ識別情報を受信した場合、当該ユーザ識別情報に基づいて、端末装置２０のユーザを認証するか否かを判断しても良い。そして、認証サーバ部１３は、端末装置２０のユーザを認証する場合、ユーザ識別情報に基づいて、サーバ装置の記憶部（図示せず）を参照し、当該端末装置２０の端末識別情報を検索する。
【００７２】
ステップＳ３において、サーバ装置１０の認証サーバ部１３は、端末装置２０に、端末識別情報を送信する。
【００７３】
ステップＳ４において、端末装置２０の認証クライアント部２４は、サーバ装置１０から、端末識別情報を受信する。
【００７４】
ステップＳ５において、端末装置２０の撮影部２１は、撮影画像を生成する。具体的には、撮影部２１は、被写体を撮影し、撮影画像を生成する。
【００７５】
ステップＳ６において、端末装置２０の暗号化部２２は、撮影画像を暗号化する。ステップＳ７において、暗号化部２２は、撮影画像に端末識別情報を対応付ける。ステップＳ８において、暗号化部２２は、端末識別情報を対応付けた撮影画像を、端末装置２０の一時保存領域２３に保存する。
【００７６】
ステップＳ９において、端末装置２０の画像送信部２５は、サーバ装置１０に、端末識別情報を対応づけた撮影画像を送信する。ここで、画像送信部２５は、撮影画像と、端末識別情報とを、サーバ装置１０に送信する。
【００７７】
なお、暗号化部２２が一時保存領域２３に撮影画像を保存した時に、サーバ装置１０と端末装置２０とが接続されていない場合、画像送信部２５は、サーバ装置１０と端末装置２０とが接続後に、暗号化された撮影画像等をサーバ装置１０に、送信しても良い。
【００７８】
例えば、サーバ装置１０と端末装置２０とが接続されていない場合、画像送信部２５は、サーバ装置１０と端末装置２０との接続を試みても良い。そして、サーバ装置１０と端末装置２０とが接続に成功した場合、端末装置２０は、暗号化された撮影画像等をサーバ装置１０に、送信しても良い。
【００７９】
または、サーバ装置１０と端末装置２０とが接続されていない場合、ユーザの操作に基づいて、サーバ装置１０と端末装置２０とが接続されるまで、端末装置２０は、撮影画像等の送信を保留しても良い。そして、ユーザの操作に基づいて、サーバ装置１０と端末装置２０とが接続された場合、端末装置２０は、暗号化された撮影画像等をサーバ装置１０に、送信しても良い。
【００８０】
ステップＳ１０において、サーバ装置１０の画像受信部１４は、撮影画像を受信する。画像受信部１４は、撮影画像の受信完了の信号を、撮影画像の送信元の端末装置２０に送信する。ステップＳ１１において、端末装置２０が、撮影画像の受信完了の信号を受信した場合、画像送信部２５は、当該端末装置２０の一時保存領域２３から、撮影画像を削除する。
【００８１】
ステップＳ１２において、サーバ装置１０の復号部１６は、撮影画像を復号する。具体的には、サーバ装置１０の画像受信部１４が受信する撮影画像は、暗号化された撮影画像である。そこで、復号部１６は、暗号化された撮影画像を復号し、端末装置２０の撮影部２１が生成した撮影画像に復元する。
【００８２】
ステップＳ１３において、撮影画像が著作物を含むか否かを、サーバ装置１０の判断部１７は判断する。具体的には、判断部１７は、撮影画像から特徴量（第２の画像情報）を抽出する。そして、判断部１７は、著作物の画像から抽出された第１の画像情報と、撮影画像から抽出された第２の特徴量とを照合する。そして、撮影画像が、予め登録された著作物を含むか否かを、判断部１７は照合結果に基づいて判断する。ここで、画像から抽出された特徴量を照合する方法（アルゴリズム）は各種あるが、その詳細は問わない。
【００８３】
撮影画像が著作物を含む、と判断部１７が判断した場合（ステップＳ１３のＹｅｓ分岐）には、ステップＳ１４に遷移する。一方、撮影画像が著作物を含まない、と判断部１７が判断した場合（ステップＳ１３のＮｏ分岐）には、ステップＳ１５に遷移する。
【００８４】
ステップＳ１４において、サーバ装置１０の画像加工部１８は、撮影画像の削除、マスキング、解像度の低減等、所定の処理を撮影画像に実行する。そして、ステップＳ１５に遷移する。
【００８５】
ここで、端末装置２０において、ユーザが予め、当該所定の処理の内容を決定（選択）可能であっても良い。その場合、端末装置２０は、ユーザによって選択された処理の内容と、ユーザ識別情報とをサーバ装置１０に送信する。そして、サーバ装置１０は、ユーザによって選択された処理の内容と、ユーザ識別情報とを対応付けて記憶しても良い。そして、サーバ装置１０の画像加工部１８は、ユーザ識別情報に基づいて、撮影画像に対する処理の内容を特定し、撮影画像に対して、特定された処理を実行しても良い。
【００８６】
ステップＳ１５において、サーバ装置１０の仮想端末選択部１５は、仮想端末１１を検索する。具体的には、仮想端末選択部１５は、仮想端末１１＿１〜１１＿ｎから、撮影画像に対応付けられた端末識別情報に基づいて、対応する仮想端末１１を特定する。
【００８７】
ステップＳ１６において、サーバ装置１０の画像加工部１８は、特定された仮想端末１１に、撮影画像を保存する。ここで、ステップＳ１４において、撮影画像に対して所定の処理を実行した場合、画像加工部１８は、当該所定の処理が実行された撮影画像を、特定された仮想端末１１に保存する。また、ステップＳ１４において、撮影画像に対して所定の処理を実行していない場合には、画像加工部１８は、特定された仮想端末１１に、当該撮影画像を保存する。
【００８８】
ステップ１７において、仮想端末１１は、当該仮想端末１１内で、撮影画像の表示処理等を実行する。仮想端末１１は、撮影画像の画面情報を生成する。例えば、仮想端末１１は、当該仮想端末１１内で実行される、画像表示のアプリケーションプログラム等を用いて、撮影画像の画面情報を生成しても良い。ステップＳ１４において、撮影画像に対して所定の処理を実行した場合、仮想端末１１は、当該所定の処理が実行された撮影画像に関して、画面情報を生成する。
【００８９】
そして、仮想端末１１は、対応する端末装置２０に、生成した画面情報を送信する。ステップＳ１８において、端末装置２０の画面表示部２６は、受信した画面情報を表示する。
【００９０】
ここで、撮影画像が著作物を含む場合には、サーバ装置１０の画像加工部１８は、当該撮影画像に対して所定の処理（削除、マスキング、解像度の低減等）を実行する。そして、画面表示部２６は、撮影画像に対して、削除、マスキング、解像度の低減処理等が実行された表示画面を表示する。
【００９１】
なお、サーバ装置１０の画像加工部１８が撮影画像に対して所定の処理を実行した場合、サーバ装置１０は、撮影画像が削除、又は加工されたことを、ユーザに通知しても良い。サーバ装置１０が、撮影画像の削除、又は加工を、ユーザに通知する場合、電子メール、メッセージ等を用いて、人為的な操作を介さずに、自動的に通知することが好ましい。
【００９２】
［変形例１］
本実施形態に係る画像処理システム１の変形例１として、サーバ装置１０に替えて、ネットワーク上のゲートウェイ等が、撮影画像に対して、所定の処理（削除、マスキング、解像度の低減等）を実行しても良い。つまり、上記のサーバ装置１０の機能（処理）を２以上の装置等に分散させても良い。
【００９３】
以上のように、本実施形態に係る画像処理システム１は、撮影画像が、予め登録された画像情報（例えば、著作物の画像から抽出された特徴量）を含む場合、当該撮影画像に対して、視認性の低減処理、出力の防止処理等を実行する。その結果、本実施形態に係る画像処理システム１は、著作物の画像等が公開されることを防止することに貢献する。
【００９４】
また、本実施形態に係る画像処理システム１においては、サーバ装置１０が撮影画像に対して、画像処理を実行する。また、本実施形態に係る画像処理システム１においては、サーバ装置１０が撮影画像を保存する。つまり、本実施形態に係る画像処理システム１は、所謂、シンクライアントシステムであるため、端末装置２０の負荷を低減できる。従って、本実施形態に係る画像処理システム１は、ユーザが使用する端末装置２０の負荷を低減させた状態で、適切に撮影画像を管理することに貢献する。
【００９５】
また、本実施形態に係る画像処理システム１においては、各端末装置２０と、サーバ装置１０が備える各仮想端末１１と、を対応付けて、仮想端末１１が撮影画像の保存処理、出力処理等を制御する。つまり、本実施形態に係る画像処理システム１は、２以上の端末装置２０が存在する場合であっても、異なる仮想端末１１が撮影画像の保存処理、出力処理等を制御する。その結果、本実施形態に係る画像処理システム１は、２以上の端末装置２０が存在する場合であっても、サーバ装置１０が、各端末装置２０に対する処理を、夫々、独立させて制御することに貢献する。
【００９６】
また、本実施形態に係る画像処理システム１においては、端末装置２０は、撮影画像を生成後、自動的に（即ち、ユーザの操作を介さずに）、サーバ装置１０に撮影画像を送信する。そして、サーバ装置１０は、受信した撮影画像が、著作物を含むか否かを判断する。そのため、本実施形態に係る画像処理システム１は、容易かつ迅速に、撮影画像に著作物が写っているか否かを判断することに貢献する。
【００９７】
また、本実施形態に係る画像処理システム１においては、撮影画像が著作物を含むか否かを、サーバ装置１０が判断する。そのため、本実施形態に係る画像処理システム１は、撮影画像内の著作物の有無を判断することが、回避されることを防止することに貢献する。
【００９８】
また、本実施形態に係る画像処理システム１においては、端末装置２０に撮影画像を保存しない。そのため、本実施形態に係る画像処理システム１は、サーバ装置１０内の撮影画像データを削除することで、著作物を含む撮影画像が公開されることを容易に防止することに貢献する。
【００９９】
［第２の実施形態］
次に、第２の実施形態について、図面を用いて詳細に説明する。
【０１００】
本実施形態は、位置情報に基づいて、撮影画像に対して所定の処理を実行するか否か判断する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【０１０１】
図５は、本実施形態に係る画像処理システム１ａの全体構成の一例を示すブロック図である。図２に示す画像処理システム１と、図５に示す画像処理システム１ａとの相違点は、図５に示す端末装置２０ａが位置情報取得部２８を含んで構成される点である。以下の説明では、第１の実施形態と相違する点について詳細に説明する。
【０１０２】
まず、本実施形態に係る端末装置２０ａについて詳細に説明する。
【０１０３】
位置情報取得部２８は、位置情報を取得する。具体的には、撮影部２１が撮影画像を生成した場合、位置情報取得部２８は位置情報を取得する。ここで、位置情報取得部２８が取得する位置情報は、撮影画像が生成された位置（被写体が撮影された位置）であるものとする。例えば、端末装置２０ａが無線ＬＡＮ（Local Area Network）を介してサーバ装置１０に接続する場合、位置情報取得部２８は、無線ＬＡＮのアクセスポイントを、位置情報として特定しても良い。
【０１０４】
本実施形態に係る画像送信部２５ａは、撮影画像に位置情報を対応付けて、当該撮影画像をサーバ装置１０ａに送信する。具体的には、画像送信部２５ａは、撮影画像に、位置情報と端末識別情報とを対応付けて、撮影画像をサーバ装置１０ａに送信する。
【０１０５】
次に、本実施形態に係るサーバ装置１０ａについて詳細に説明する。
【０１０６】
本実施形態に係る画像受信部１４ａは、位置情報が対応付けられた撮影画像を、端末装置２０ａから受信する。具体的には、画像受信部１４ａは、位置情報と端末識別情報とが対応付けられた、撮影画像を端末装置２０ａから受信する。
【０１０７】
本実施形態に係る判断部１７ａは、撮影画像に対応付けられた位置情報に基づいて、当該撮影画像に対して、撮影画像の視認性の低減処理、出力の防止処理の少なくともいずれかを含む、所定の処理を実行するか否かを判断する。具体的には、撮影画像に対応付けられた位置情報が、所定の条件を満たす場合、判断部１７ａは、当該撮影画像に対して所定の処理を実行する。
【０１０８】
例えば、撮影画像に対応付けられた位置情報が、美術館の敷地内であることを示す場合、当該撮影画像が著作物を含む画像である、と判断部１７ａは判断しても良い。そして、判断部１７ａは、著作物を含む撮影画像に対して、撮影画像の視認性の低減処理、出力の防止処理等を実行しても良い。
【０１０９】
図６は、画像処理システム１ａの一例を示す図である。図６に示す画像処理システム１ａは、端末装置２０１ａ、２０２ａと、仮想端末１１＿１ａ、１１＿２ａを備えるサーバ装置１０ａとを含んで構成される。なお、図６に示す端末装置２０１ａ、２０２ａの内部構成は、上述の端末装置２０ａと同一であるものする。
【０１１０】
図６に示す画像処理システム１ａにおいて、端末識別情報４０１（「端末ＩＤ：１０００Ａ」）が、端末装置２０１ａに割り当てられている。また、図６に示す画像処理システム１ａにおいて、端末識別情報４１０（「端末ＩＤ：１０００Ａ」）が仮想端末１１＿１ａに割り当てられている。また、図６に示す画像処理システム１ａにおいて、端末識別情報４０２（「端末ＩＤ：２０００Ｂ」）が端末装置２０２ａに割り当てられている。また、図６に示す画像処理システム１ａにおいて、端末識別情報４２０（「端末ＩＤ：２０００Ｂ」）が、仮想端末１１＿２ａに割り当てられている。
【０１１１】
例えば、端末装置２０１ａの撮影部２１が撮影画像４１１を生成したとする。その場合、端末装置２０１ａの位置情報取得部２８は、撮影画像４１１の撮影位置を示す、位置情報４１３を取得する。そして、端末装置２０１ａの画像送信部２５は、撮影画像４１１と、端末識別情報４１２と、位置情報４１３とを対応付けたデータ４１４を、サーバ装置１０ａに送信する。
【０１１２】
サーバ装置１０ａの判断部１７ａは、撮影画像４１１に対応付けられた位置情報４１３に基づいて、撮影画像４１１に所定の処理を実行するか否かを判断する。そして、サーバ１０ａの仮想端末選択部１５は、撮影画像４１１に対応付けられた端末識別情報４１２に基づいて、仮想端末１１＿１ａを選択する。そして、仮想端末１１＿１ａは、撮影画像４１１の出力処理等を制御する。
【０１１３】
また、端末装置２０２ａの撮影部２１が撮影画像４２１を生成したとする。その場合、端末装置２０２ａの位置情報取得部２８は、撮影画像４２１の撮影位置の位置情報４２３を取得する。そして、端末装置２０２ａの画像送信部２５は、撮影画像４２１と、端末識別情報４２２と、位置情報４２３とを対応付けたデータ４２４を、サーバ装置１０ａに送信する。そして、サーバ装置１０ａの判断部１７ａは、位置情報４２３に基づいて、撮影画像４２１に所定の処理を実行するか否かを判断する。そして、サーバ装置１０ａの仮想端末選択部１５は、端末識別情報４２２に基づいて、仮想端末１１＿２ａを選択する。
【０１１４】
以上のように、本実施形態に係る画像処理システム１ａは、撮影位置に応じて、撮影画像に対して、撮影画像の視認性の低減処理、出力の防止処理等を実行するか否かを判断する。つまり、本実施形態に係る画像処理システム１ａは、撮影画像が撮影不可の著作物を含むか否かを、撮影位置に応じて判断する。そのため、本実施形態に係る画像処理システム１ａは、撮影画像に撮影不可の著作物が含まれるか否かが、不明確であっても、撮影位置が所定の条件を満たす場合、撮影画像に対して視認性の低減処理等を実行する。そのため、本実施形態に係る画像処理システム１ａは、著作物の画像が公開されることを、より一層確実に防止することに貢献する。
【０１１５】
上述の実施形態の一部又は全部は、以下の形態のようにも記載され得るが、以下には限られない。
【０１１６】
（形態１）上記第１の視点に係る画像処理システムの通りである。
【０１１７】
（形態２）前記サーバ装置は、１又は２以上の画像から抽出され、当該各画像に対応する第１の画像情報を格納する、データベースをさらに備え、前記判断部は、前記第１の画像情報と、前記受信した撮影画像に含まれる第２の画像情報と、を照合し、当該撮影画像が前記所定の情報を含むか否かを判断する、形態１に記載の画像処理システム。
【０１１８】
（形態３）前記端末装置は、前記撮影画像を暗号化する、暗号化部をさらに備え、
前記画像送信部は、前記暗号化部が暗号化した前記撮影画像を、前記サーバ装置に送信し、前記サーバ装置は、暗号化された前記撮影画像を受信した場合、当該暗号化された撮影画像を復号する、復号部をさらに備え、前記判断部は、前記復号部が復号した前記撮影画像から、前記第２の画像情報を抽出する、形態２に記載の画像処理システム。
【０１１９】
（形態４）前記端末装置は、前記暗号化部が暗号化した前記撮影画像を保存する、一時保存領域を備え、前記画像送信部は、前記暗号化部が暗号化した前記撮影画像を送信した場合、当該暗号化された前記撮影画像を、前記一時保存領域から削除する、形態３に記載の画像処理システム。
【０１２０】
（形態５）前記データベースは、著作物の画像から抽出された特徴量を、前記第１の画像情報として格納する、形態２乃至４のいずれか一に記載の画像処理システム。
【０１２１】
（形態６）前記サーバ装置は、１又は２以上の前記端末装置に対応する、１又は２以上の仮想端末を備え、前記仮想端末は、前記撮影画像の出力処理を制御する、形態１乃至５のいずれか一に記載の画像処理システム。
【０１２２】
（形態７）前記画像送信部は、前記撮影画像に、端末識別情報を対応付けて、当該撮影画像を前記サーバ装置に送信し、前記仮想端末は、自仮想端末と、端末識別情報と、を対応付けた情報を記憶し、前記サーバ装置は、前記撮影画像を受信した場合、当該撮影画像に対応付けられた前記端末識別情報に基づいて、前記仮想端末を選択する、仮想端末選択部をさらに備え、前記画像加工部は、前記撮影画像に前記所定の処理を実行後に、前記撮影画像が存在する場合、前記仮想端末選択部が選択した前記仮想端末に、当該撮影画像を保存する、形態６に記載の画像処理システム。
【０１２３】
（形態８）前記端末装置は、位置情報を取得する、位置情報取得部をさらに備え、前記画像送信部は、前記撮影画像に前記位置情報を対応付けて、当該撮影画像を前記サーバ装置に送信し、前記判断部は、前記撮影画像に対応付けられた前記位置情報に基づいて、当該撮影画像に対して前記所定の処理を実行するか否かを判断する、形態１乃至７のいずれか一に記載の画像処理システム。
【０１２４】
（形態９）上記第２の視点に係るサーバ装置の通りである。
【０１２５】
（形態１０）上記第３の視点に係るサーバ装置の制御方法の通りである。
【０１２６】
（形態１１）上記第４の視点に係るプログラムの通りである。
【０１２７】
なお、上記の形態９乃至１１に示す形態は、形態１に示す形態と同様に、形態２乃至８に示す形態に展開することが可能である。
【０１２８】
なお、上記の特許文献の各開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１２９】
１、１ａ、１０００  画像処理システム
１０、１０ａ、１０２０  サーバ装置
１１＿１〜１１＿ｎ、１１＿２、１１＿１ａ、１１＿２ａ  仮想端末
１２  データベース
１３  認証サーバ部
１４、１４ａ  画像受信部
１５  仮想端末選択部
１６  復号部
１７、１７ａ、１０２１  判断部
１８、１０２２  画像加工部
１９  画面情報送信部
２０、２０ａ、２０１、２０１ａ、２０２、２０２ａ、１０１０  端末装置
２１、１０１１  撮影部
２２  暗号化部
２３  一時保存領域
２４  認証クライアント部
２５、２５ａ、１０１２  画像送信部
２６  画面表示部
２７  画面情報受信部
２８  位置情報取得部
３０  ネットワーク
３０１、３０２、３１０、３１２、３２０、３２２、４０１、４０２、４１０、４１２、４２０、４２２  端末識別情報
３１１、３２１、４１１、４２１、１００１  撮影画像
３１３、３２３、４１４、４２４  データ
４１３、４２３  位置情報
【図１】
2016195060.tif 000003
【図２】
2016195060.tif 000004
【図３】
2016195060.tif 000005
【図４】
2016195060.tif 000006
【図５】
2016195060.tif 000007
【図６】
2016195060.tif 000008
【国際調査報告】
2016195060.tif 000009
2016195060.tif 000010